(57)【特許請求の範囲】
【請求項１】
廊下の壁面に支持具を介して水平に取付けた手摺は引戸装置の戸袋先端部まで延び、そして引戸の戸先側には少なくとも２本のアームを介してパネル面との間に戸袋パネルが嵌るように所定の空間を残して概略長方形のハンドルが取付けられ、該ハンドルは戸先側に設けられて、戸先側に位置して上下方向に延びるメイン握り部、戸尻側に位置して上下方向に延びると共に下側を切欠いて短くした補助握り部、そして、補助握り部の上下端をメイン握り部と繋ぐ上握り部と下握り部から成って該下握り部はメイン握り部の中間部と繋がり、概略長方形のハンドルはパネル面に対して所定の間隔をおいてほぼ平行を成し、引戸が開いて戸袋に収容される場合には、戸袋パネルがハンドルと引戸パネル間の空間に嵌ると共に、戸袋先端部まで延びた上記手摺先端がハンドルと干渉しないようにしたことを特徴とする廊下に取付けた手摺と引戸用ハンドル。
【請求項２】
上記アームはメイン握り部の上下端部から延び、概略Ｌ形を成している請求項１記載の廊下に取付けた手摺と引戸用ハンドル。
【発明の詳細な説明】
【技術分野】
【０００１】
本発明は身体の不自由な人が部屋やトイレの入口に取付けられる引戸を開閉する際に、操作し易い引戸用ハンドルと廊下に取付けられる手摺との位置関係に関するものである。
【背景技術】
【０００２】
図４は引戸（イ）を単独で表している場合であるが、該引戸（イ）の戸先側にはハンドル（ロ）が取付けられている。ハンドル（ロ）の形状は概略コ形を成して引戸面と一定空間を隔てた位置に握り部（ハ）が上下方向に延びている。人は、この握り部（ハ）の適当な位置を握って引戸（イ）を引いて開くことが出来、開いた引戸（イ）が半自動式であれば独りで閉じるようになる。
【０００３】
図５は概略コ形のハンドル（ロ）を備えた従来の引戸（イ）を開く場合を表している。同図では操作する人が身体障害者（ニ）であって車椅子（ホ）に乗っている。
(ａ)では、車椅子（ホ）に乗った身体障害者（ニ）はハンドル（ロ）を握って引戸（イ）を引くことが出来るが、この場合に該引戸（イ）は入口の約１／２程度までは開くことが出来る。すなわち、ハンドル（ロ）の握り部（ハ）をもって点線の位置まで引くことは可能である。
【０００４】
従って、その後は、(ｂ)に示すように車椅子（ホ）を後退させてから再び(ｃ)のように引かなくてはならず、十分に開口した入口（ヘ）から(ｄ)のように車椅子ごと入ることになる。このように、前記図４に示す概略コ形のハンドル（ロ）を備えた引戸（イ）では、該引戸（イ）を約１／２程度引いたところで車椅子（ホ）を後退しなければならず、従って出入りが面倒であると共に時間がかかる。
【０００５】
又、図６に示すように、部屋のコーナー部に引戸（イ）が設けられている場合であれば、車椅子（ホ）に乗っている身体障害者（ニ）は引戸（イ）のハンドル（ロ）まで手が届かないといった問題が発生する。すなわち、車椅子（ホ）の先端が壁面に当たってしまい、該車椅子（ホ）を前へ進めることが出来ない。従って、車椅子（ホ）から身を乗り出してハンドル（ロ）を握らなくてはならず、その為に身体のバランスを崩すこともあって非常に危険である。
【０００６】
そこで、出願人は車椅子に乗った場合、又は杖を持った状態の身体障害者や高齢者であっても、引戸の開き操作を簡単に行うことが出来る引戸用ハンドルを開発している。特開２００７−１４６５０７号に係る「引戸用ハンドル及び該ハンドルを備えた引戸」のハンドルは、各コーナー部を湾曲した概略長方形の握り部と、その上下端部にはパネルに取付ける為に後方へ延びるアームを有し、上記概略長方形の握り部は、戸先側に位置して上下方向に延びるメイン握り部、戸尻側に位置して上下方向に延びる補助握り部、そしてメイン握り部と補助握り部の上下端を繋ぐ上握り部と下握り部から成り、上記メイン握り部と補助握り部は互いにほぼ平行であると共にパネル面に対しても所定の間隔をおいて平行を成している。
【０００７】
このように、引戸用ハンドルは概略長方形を成して、メイン握り部、補助握り部、そして上・下握り部を有している為に、車椅子に乗った身体障害者等はその車椅子の位置を動かすことなく、適当な握り部をもって引戸を開閉することが可能と成る。一般には、戸尻側に位置する補助握り部を持ってある程度開き、その後はメイン握り部に持ち換えて引戸を開く。又、必要に応じて上下の握り部を持って開くことも可能である。従って、車椅子を動かすことなく手軽に引戸を全開することが出来、入口から素早く入ることが出来る。又、部屋のコーナー部に引戸が設置される場合であっても、車椅子に乗った状態で身を乗り出すことなく補助握り部を掴んで引戸を引くことが出来る。一方、本発明のハンドルは上下握り部を有しているために、杖を持って歩く障害者等にとっては該上下握り部を掴んで開閉操作がし易くなる。
【０００８】
ところで、老人ホームや病院の廊下には手摺が取付けられ、身体障害者や老人は該手摺に凭れて歩くことが多い。手摺に凭れて歩き、部屋やトイレの入口では引戸のハンドルを握って開閉するが、該手摺とハンドルとの間に大きな空間を作ることがない位置関係を保って取付けることが必要となる。この場合、引戸を開く際に概略長方形のハンドルが手摺先端と干渉することがある。すなわち、引戸を全開すれば、戸袋まで延びている手摺に該ハンドルが接触してしまう。
【特許文献１】特開２００７−１４６５０７号に係る「引戸用ハンドル及び該ハンドルを備えた引戸」
【発明の開示】
【発明が解決しようとする課題】
【０００９】
このように、従来の引戸用ハンドルには上記のごとき問題がある。本発明が解決しようとする課題はこの問題点であって、車椅子に乗った身体障害者、又は杖をついた状態の身体障害者や高齢者にとって操作し易いハンドルにすると共に、引戸を開いた際に該ハンドルが手摺に干渉しないようにした廊下に取付けた手摺と引戸用ハンドルを提供する。
【課題を解決するための手段】
【００１０】
本発明に係る引戸用ハンドルは概略長方形を成し、上アームと下アームとで引戸のパネルに取付けられている。概略長方形ハンドルは戸先側にて上下方向に延びるメイン握り部と戸尻側にて上下方向に延びる補助握り部、及びメイン握り部と補助握り部を連結する水平な上握り部及び下握り部を有している。そして、各コーナーは滑らかに湾曲した形状と成っている。しかし、本発明では上記補助握り部の下側の約半分は切欠かれ、下握り部はメイン握り部の中間部と繋がっている。
【００１１】
そして、補助握り部は上記メイン握り部と平行であって、しかも引戸面に対して平行を成している。ハンドルは上アームと下アームを介して引戸パネルに取付けられているが、上下アームはメイン握り部の上下端部から延びている。又、必要に応じて中アームを設けることもある。ところで、本発明の引戸用ハンドルは引戸の戸先側両面に取付けられ、車椅子に乗った場合、又は杖をついた状態の身体障害者や高齢者は、メイン握り部、補助握り部、上握り部、又は下握り部の何れか適当な握り部を握って開閉操作を行うことが出来る。
【００１２】
一方、廊下には手摺が取付けられ、該手摺は戸袋の先端部まで延び、手摺先端と引戸用ハンドルとの間に空間を作らないようにしている。そして該手摺の高さは一般に７５０ｍｍ〜８５０ｍｍの高さに設けられている。この高さは上記ハンドルが位置する高さに相当するが、補助握り部を切欠いていることで、引戸が全開しても手摺に干渉することはない。ここで、手摺の太さは特に限定しないが、一般には３２ｍｍ〜３６ｍｍとしている。
【発明の効果】
【００１３】
本発明の引戸用ハンドルは概略長方形を成して、メイン握り部、補助握り部、そして上・下握り部を有している為に、車椅子に乗った身体障害者等はその車椅子の位置を動かすことなく、適当な握り部をもって引戸を開閉することが出来る。一般には、戸尻側に位置する補助握り部を持ってある程度開き、その後はメイン握り部に持ち換えて引戸を開く。又、必要に応じて上下の握り部を持って開くことも可能と成る。
【００１４】
従って、車椅子を動かすことなく手軽に引戸を全開することが出来、入口から素早く入ることが出来る。又、部屋のコーナー部に引戸が設置される場合であっても、車椅子に乗った状態で身を乗り出すことなく補助握り部を掴んで引戸を引くことが出来る。一方、本発明のハンドルは上下握り部を有しているために、杖を持って歩く障害者等にとっては該上下握り部を掴んで開閉操作がし易くなる。
【００１５】
さらに、本発明ではハンドルの補助握り部の下側が切欠かれた形状と成っている。すなわち、補助握り部はメイン握り部の約半分の長さとすることで、引戸を開いた際に戸袋先端部まで延びて廊下に取付けられている手摺に干渉することはない。従って、従来のハンドルでは、引戸を開いた際の手摺との干渉を考えて、該手摺をハンドルの手前までしか延ばすことが出来なかったが、ハンドルの補助握り部を切欠くことで、戸袋先端部まで延ばすことが出来ることは身体障害者や老人にとって便利である。
【実施例】
【００１６】
図１は本発明に係る引戸１を表している実施例である。引戸１は縦長の長方形パネル２から成り、上端両側には吊車(図示なし)が取着され、引戸１は該吊車を介して上レール(図示なし)に吊設される。そして、引戸１の両面の戸先側にはハンドル３が取付けられていて、人はこのハンドル３を握って引戸１を開くことが出来る。一般に、吊車が載って走行する上レールは戸先側が僅かに低く傾斜している為に、手で引いて開いた引戸１はその自重にて独りで閉じることが出来るように成っている。勿論、戸尻側を低くすることで引戸を常に開いた状態とすることも可能である。
【００１７】
ところで、該引戸１のパネル２には握り部となるハンドル３が取着されているが、アーム４，４を介してパネル２に固定されている。ハンドル３はメイン握り部５、補助握り部６、上握り部７、及び下握り部８を有し、メイン握り部５及び補助握り部６は互いに平行を成して上下方向に延び、補助握り部６の上下端は上記上握り部７と下握り部８にてメイン握り部５と繋がっている。しかも、各コーナー部は滑らかに湾曲している。
【００１８】
上記メイン握り部５及び補助握り部６は共にパネル２と所定の間隔をおいて平行と成っており、上握り部７及び下握り部８は水平を成してメイン握り部５と補助握り部６を繋いでいる。そして、本発明では補助握り部６の下側を切欠いてメイン握り部５より短く成っている。すなわち、補助握り部６はメイン握り部５の約１／２とし、メイン握り部５の上側に補助握り部６を有した形状としている。
【００１９】
図２は引戸１を入口９に装着して開いている場合である。同図の引戸装置は戸袋１０を備え、引戸１がスライドして開くならば、該戸袋１０に収容され、引戸１の戸先側に取付けているハンドル３は戸袋先端まで移動する。そして、廊下には手摺１１が水平に取付けられ、この手摺１１の高さＨは一般に７５０ｍｍ〜８５０ｍｍとしている。すなわち、この手摺１１の高さはハンドル３の下部と同じ高さと成っている。
【００２０】
体の不自由な老人にとって、この手摺１１は必要であり、廊下を歩く際に該手摺に掴まり、又手摺１１に凭れることが出来る。その太さは一般に３２ｍｍ〜３６ｍｍであって、手で握ることが出来る寸法としている。そして、該手摺１１は戸袋１０の先端部まで延びているが、引戸１が開いても該ハンドル３に干渉することはない。このように、戸袋１０を設けることで手摺１１を戸袋先端部まで延ばすことが可能と成る。該戸袋がなければ、手摺１１とハンドル３との間には大きな空間が出来、手摺１１に凭れて歩いてきた身体障害者や老人は身体を支える手段を失ってしまう。
【００２１】
ハンドル３は両アーム４，４を介してパネル２に取付けられることで、パネル面との間に適度な大きさの空間が形成され、引戸１を開くならば、該引戸１は戸袋１０へ収容されると共に、戸袋パネルはパネル面とハンドル３との間に形成される空間に嵌ることが出来る。すなわち、引戸１は入口９を大きく開口する為に、戸袋パネルがハンドル３とパネル面の間に嵌るようにしている。
【００２２】
ハンドル３が従来のような概略長方形であるならば、戸袋先端部まで延びる手摺１１に干渉するが、該ハンドル３の下端部、すなわち、補助握り部６の下端部が切欠かれていることで、手摺１１に干渉することなく引戸１が全開される。手摺１１は所々に設けている支持具１２，１２・・を介して取付けられ、廊下壁面及び戸袋面との間に所定の空間を残して水平に取付けられている。
【００２３】
図３は引戸１が開いた状態の斜視図を表しているが、戸袋面に対して所定の空間を残して取付けられている手摺１１は、パネル面との間に戸袋パネルが嵌る空間を形成して取付けられているハンドル３とは、表面側への突出寸法がほぼ同じとなっているが、下端部が切欠かれているハンドル３と干渉することはない。
【図面の簡単な説明】
【００２４】
【図１】ハンドルを取付けた引戸を示す具体例。
【図２】引戸を開いた場合のハンドルと手摺の関係。
【図３】引戸を開いた場合の斜視図。
【図４】従来の引戸を示す具体例。
【図５】車椅子の乗った身体障害者が従来の引戸を操作する手順。
【図６】部屋のコーナーに設けている従来引戸の操作。
【符号の説明】
【００２５】
１  引戸
２  パネル
３  ハンドル
４  アーム
５  メイン握り部
６  補助握り部
７  上握り部
８  下握り部
９  入口
10  戸袋
11  手摺
12  支持具
【図１】
0005083651.tif 000002
【図２】
0005083651.tif 000003
【図３】
0005083651.tif 000004
【図４】
0005083651.tif 000005
【図５】
0005083651.tif 000006
【図６】
0005083651.tif 000007